(57)【要約】試料に電流を流して発生する磁場分布を測定して試料の異常箇所を検出するにあたり、同一試料についての一の測定と時間経過した後の他の測定との間に同試料の移動があっても、両測定によりそれぞれ得られた磁場分布の位置を整合させる。一の試料１に磁性マーク１５ａ，１５ｂ，１５ｃを形成した後、前記一の試料について一の測定と時間経過した後の他の測定とを行い、前記一の測定において前記磁性マークから発生する磁場を含む前記一の試料の磁場分布を測定し、前記他の測定において前記磁性マークから発生する磁場を含む前記一の試料の磁場分布を測定し、前記一の測定により取得した前記一の試料の磁場分布の座標と、前記他の測定により取得した前記一の試料の磁場分布の座標とを、前記磁性マークの磁場検出座標を一致させることにより対応させる。
2019045027.tif 000002
【特許請求の範囲】
【請求項１】
試料に電流を流して発生する磁場分布を測定して試料の異常箇所を検出する非破壊検査方法において、
一の試料に磁性マークを形成した後、
前記一の試料について一の測定と時間経過した後の他の測定とを行い、
前記一の測定において前記磁性マークから発生する磁場を含む前記一の試料の磁場分布を測定し、
前記他の測定において前記磁性マークから発生する磁場を含む前記一の試料の磁場分布を測定し、
前記一の測定により取得した前記一の試料の磁場分布の座標と、前記他の測定により取得した前記一の試料の磁場分布の座標とを、前記磁性マークの磁場検出座標を一致させることにより対応させる非破壊検査方法。
【請求項２】
前記磁性マークを構成する素材には、磁性体が混ぜられている請求項１に記載の非破壊検査方法。
【請求項３】
基準の磁場分布と、前記他の測定により取得した前記一の試料の磁場分布との差分をとり、前記他の測定時における前記一の試料の異常箇所の位置を特定する請求項１又は請求項２に記載の非破壊検査方法。
【請求項４】
前記一の測定を前記一の試料の使用前の初期に行い、前記一の測定により取得した前記一の試料の磁場分布を前記基準の磁場分布とする請求項３に記載の非破壊検査方法。
【請求項５】
前記一の測定を複数の基準試料について行い、これにより取得した磁場分布の平均をとって基準の磁場分布としてメモリに保存し、
前記複数の基準試料及び他の試料の各々について、
前記他の測定を行い、
前記メモリから読みだした前記基準の磁場分布と、前記他の測定により取得した磁場分布との差分をとり、前記他の測定時における異常箇所の位置を特定する請求項３に記載の非破壊検査方法。
【請求項６】
前記他の測定により取得した磁場分布との差分をとる前記基準の磁場分布を、前記他の測定時までの経時変化後の推定値とする請求項３から請求項５のうちいずれか一に記載の非破壊検査方法。
【請求項７】
前記差分をとった時間差分分布をさらに磁場分布空間内で空間差分をとる請求項３から請求項６のうちいずれか一に記載の非破壊検査方法。
【請求項８】
前記磁場分布を測定する磁場成分は前記試料の測定対象面に平行な方向の成分である請求項１から請求項７のうちいずれか一に記載の非破壊検査方法。
【請求項９】
試料に電流を流して発生する磁場分布を測定して試料の異常箇所を検出する非破壊検査装置において、
一の測定により取得した一の試料の磁場分布から所定の方向及び強度を有する磁性マークの発生磁場を検出し、
前記一の測定により後の他の測定により取得した前記一の試料の磁場分布から前記磁性マークの発生磁場を検出し、
前記一の測定により取得した前記一の試料の磁場分布の座標と、他の測定により取得した前記一の試料の磁場分布の座標とを、前記磁性マークの磁場検出座標を一致させることにより対応させる制御装置を備える非破壊検査装置。
【請求項１０】
前記制御装置は、基準の磁場分布と、前記他の測定により取得した前記一の試料の磁場分布との差分をとり、前記他の測定時における前記一の試料の異常箇所の位置を特定する請求項９に記載の非破壊検査装置。
【請求項１１】
前記制御装置は、前記一の測定により取得した前記一の試料の磁場分布を前記基準の磁場分布とする請求項１０に記載の非破壊検査装置。
【請求項１２】
複数の基準試料について前記一の測定を行って取得した磁場分布の平均をとった基準の磁場分布が保存されるメモリを備え、
前記制御装置は、
前記複数の基準試料及び他の試料の各々について、
前記メモリから読みだした前記基準の磁場分布と、前記他の測定により取得した磁場分布との差分をとり、前記他の測定時における異常箇所の位置を特定する請求項１０に記載の非破壊検査装置。
【請求項１３】
前記制御装置は、前記他の測定により取得した磁場分布との差分をとる前記基準の磁場分布を、前記他の測定時までの経時変化後の推定値とする請求項１０から請求項１２のうちいずれか一に記載の非破壊検査装置。
【請求項１４】
前記制御装置は、前記差分をとった時間差分分布をさらに磁場分布空間内で空間差分をとる請求項１０から請求項１３のうちいずれか一に記載の非破壊検査装置。
【請求項１５】
前記試料の測定対象面に平行な方向の成分を検出する磁気センサーを備える請求項９から請求項１４のうちいずれか一に記載の非破壊検査装置。
【発明の詳細な説明】
【技術分野】
【０００１】
本発明は、非破壊検査方法及び非破壊検査装置に関する。
【背景技術】
【０００２】
非破壊検査の分野において試料から発生する磁場分布を測定する磁場分布測定装置が知られている。
特許文献１では、２種類の電流で得られた２つの磁場分布の差か比にて劣化を判定する。
特許文献２では、シールド内と試料近接に磁気センサを配置し、時間経過前後の差の変化にて劣化を判定する。
特許文献３では、燃料電池の劣化を知るのに磁場センサーアレイにて測定し、正常データからの差分にて異常を判定する。
【先行技術文献】
【特許文献】
【０００３】
【特許文献１】特開２０１４−８９８１９号公報
【特許文献２】特開２０１６−２１９２７２号公報
【特許文献３】特許第４７０１３８９号公報
【発明の概要】
【発明が解決しようとする課題】
【０００４】
しかし、特許文献１に記載の発明においては、印加電流を２種類準備し測定することが必要で、それぞれの充放電のため時間がかかる。
特許文献２に記載の発明においては、時間経過とともに磁場変化を取得できるが異常箇所の位置を特定できない。
特許文献３に記載の発明においては、試料と磁気センサアレイを接触させており、位置合わせする必要はないが試料ごとに磁気センサーアレイが必要となる。
複数の試料の時間経過状態を一つの磁場分布測定装置で測定する場合、測定データの空間的位置ずれが懸念される。すなわち、磁場分布測定装置で一つの試料を測定した後、他の試料を同磁場分布測定装置で測定する際には、前記一つの試料を同磁場分布測定装置から取り去る。その後前記一つの試料の時間経過状態を調べるために磁場分布測定装置で前記一つの試料を測定するが、同磁場分布測定装置への前記一つの試料の設置位置が前回の測定と一致しないことが懸念される。【０００５】
本発明は以上の従来技術における問題に鑑みてなされたものであって、試料に電流を流して発生する磁場分布を測定して試料の異常箇所を検出するにあたり、同一試料についての一の測定と時間経過した後の他の測定との間に同試料の移動があっても、両測定によりそれぞれ得られた磁場分布の位置を整合させることを課題とする。
【課題を解決するための手段】
【０００６】
以上の課題を解決するための請求項１記載の発明は、試料に電流を流して発生する磁場分布を測定して試料の異常箇所を検出する非破壊検査方法において、
一の試料に磁性マークを形成した後、
前記一の試料について一の測定と時間経過した後の他の測定とを行い、
前記一の測定において前記磁性マークから発生する磁場を含む前記一の試料の磁場分布を測定し、
前記他の測定において前記磁性マークから発生する磁場を含む前記一の試料の磁場分布を測定し、
前記一の測定により取得した前記一の試料の磁場分布の座標と、前記他の測定により取得した前記一の試料の磁場分布の座標とを、前記磁性マークの磁場検出座標を一致させることにより対応させる非破壊検査方法である。【０００７】
請求項２記載の発明は、前記磁性マークを構成する素材には、磁性体が混ぜられている請求項１に記載の非破壊検査方法である。【０００８】
請求項３記載の発明は、基準の磁場分布と、前記他の測定により取得した前記一の試料の磁場分布との差分をとり、前記他の測定時における前記一の試料の異常箇所の位置を特定する請求項１又は請求項２に記載の非破壊検査方法である。【０００９】
請求項４記載の発明は、前記一の測定を前記一の試料の使用前の初期に行い、前記一の測定により取得した前記一の試料の磁場分布を前記基準の磁場分布とする請求項３に記載の非破壊検査方法である。【００１０】
請求項５記載の発明は、前記一の測定を複数の基準試料について行い、これにより取得した磁場分布の平均をとって基準の磁場分布としてメモリに保存し、
前記複数の基準試料及び他の試料の各々について、
前記他の測定を行い、
前記メモリから読みだした前記基準の磁場分布と、前記他の測定により取得した磁場分布との差分をとり、前記他の測定時における異常箇所の位置を特定する請求項３に記載の非破壊検査方法である。【００１１】
請求項６記載の発明は、前記他の測定により取得した磁場分布との差分をとる前記基準の磁場分布を、前記他の測定時までの経時変化後の推定値とする請求項３から請求項５のうちいずれか一に記載の非破壊検査方法である。【００１２】
請求項７記載の発明は、前記差分をとった時間差分分布をさらに磁場分布空間内で空間差分をとる請求項３から請求項６のうちいずれか一に記載の非破壊検査方法である。【００１３】
請求項８記載の発明は、前記磁場分布を測定する磁場成分は前記試料の測定対象面に平行な方向の成分である請求項１から請求項７のうちいずれか一に記載の非破壊検査方法である。【００１４】
請求項９記載の発明は、試料に電流を流して発生する磁場分布を測定して試料の異常箇所を検出する非破壊検査装置において、
一の測定により取得した一の試料の磁場分布から所定の方向及び強度を有する磁性マークの発生磁場を検出し、
前記一の測定により後の他の測定により取得した前記一の試料の磁場分布から前記磁性マークの発生磁場を検出し、
前記一の測定により取得した前記一の試料の磁場分布の座標と、他の測定により取得した前記一の試料の磁場分布の座標とを、前記磁性マークの磁場検出座標を一致させることにより対応させる制御装置を備える非破壊検査装置である。【００１５】
請求項１０記載の発明は、前記制御装置は、基準の磁場分布と、前記他の測定により取得した前記一の試料の磁場分布との差分をとり、前記他の測定時における前記一の試料の異常箇所の位置を特定する請求項９に記載の非破壊検査装置である。【００１６】
請求項１１記載の発明は、前記制御装置は、前記一の測定により取得した前記一の試料の磁場分布を前記基準の磁場分布とする請求項１０に記載の非破壊検査装置である。【００１７】
請求項１２記載の発明は、複数の基準試料について前記一の測定を行って取得した磁場分布の平均をとった基準の磁場分布が保存されるメモリを備え、
前記制御装置は、
前記複数の基準試料及び他の試料の各々について、
前記メモリから読みだした前記基準の磁場分布と、前記他の測定により取得した磁場分布との差分をとり、前記他の測定時における異常箇所の位置を特定する請求項１０に記載の非破壊検査装置である。【００１８】
請求項１３記載の発明は、前記制御装置は、前記他の測定により取得した磁場分布との差分をとる前記基準の磁場分布を、前記他の測定時までの経時変化後の推定値とする請求項１０から請求項１２のうちいずれか一に記載の非破壊検査装置である。【００１９】
請求項１４記載の発明は、前記制御装置は、前記差分をとった時間差分分布をさらに磁場分布空間内で空間差分をとる請求項１０から請求項１３のうちいずれか一に記載の非破壊検査装置である。【００２０】
請求項１５記載の発明は、前記試料の測定対象面に平行な方向の成分を検出する磁気センサーを備える請求項９から請求項１４のうちいずれか一に記載の非破壊検査装置である。
【発明の効果】
【００２１】
本発明によれば、試料に電流を流して発生する磁場分布を測定して試料の異常箇所を検出するにあたり、同一試料についての一の測定と時間経過した後の他の測定との間に同試料の移動があっても、磁性マークの磁場検出座標を一致させることにより、両測定によりそれぞれ得られた磁場分布の位置を整合させることができる。
【図面の簡単な説明】
【００２２】
【図１Ａ】一例の試料の平面図である。
【図１Ｂ】図１Ａの試料の電極部分の縦断面図である。
【図２】本発明の一実施形態で用いる非破壊検査装置の構成ブロック図である。
【図３Ａ】図３Ａの２次元磁場分布の平面図を示す。
【図３Ｂ】本発明の一実施形態で測定した２次元磁場分布を示す図であり、先に行われた一の測定時の異常箇所が無いものを示す。
【図４Ａ】本発明の一実施形態で測定した２次元磁場分布を示す図であり、後に行われる他の測定時の異常箇所があったものを示す。
【図４Ｂ】４Ａの２次元磁場分布の平面図を示す。
【図５Ａ】図３Ａの２次元磁場分布と図４Ａの２次元磁場分布との差分分布を示す図である。
【図５Ｂ】図３Ｂの２次元磁場分布と図４Ｂの２次元磁場分布との差分分布を示す図である。
【発明を実施するための形態】
【００２３】
以下に本発明の一実施形態につき図面を参照して説明する。以下は本発明の一実施形態であって本発明を限定するものではない。
【００２４】
図１に示す試料１を測定対象とする。試料１は、薄型のリチウムイオン電池であり、ＸＹ平面上に広く、ＸＹ平面に垂直なＺ方向に薄く形成されており、＋極１１、及び−極１２を有する。図１に示す試料１は、Ｙ方向の両端に＋極１１と−極１２を互いにＺ方向にギャップを設けて有する。試料１内の主電流が流れる方向１３が図示するようになる。
【００２５】
図２に本実施形態で用いる一例の非破壊検査装置２の構成ブロック図を示す。非破壊検査装置２は、磁気センサー２１を２次元に配列させた２次元センサーアレイ２２と、各磁気センサー２１の検出値をデジタル変換するとともに２次元センサーアレイ２２の２次元座標上の各磁気センサー２１の位置情報と同検出値とを対応させた形式のデータを生成するデータ生成部２３と、制御装置としてのＣＰＵ（Central Processing Unit）２４のほか、ＲＯＭ（Read Only Memory）２５、ＲＡＭ（Random access memory）２６，表示部２７、操作部２８、通信インターフェース２９等を備える。
また非破壊検査装置２は、試料１に記載された図示しないバーコード等を読み取り、個体識別情報を取得するＩＤ読取部２０を有する。試料１の個体を識別し管理するためである。
【００２６】
試料１のＸＹ平面と２次元センサーアレイ２２のＸＹ平面を平行にして、試料１に対し２次元センサーアレイ２２をＺ方向に近接配置した上で、試料１に電流を流して発生する２次元磁場分布を２次元センサーアレイ２２を介して測定する。
【００２７】
図１Ａに示すように試料１には、ＸＹ平面上の４隅のうち３箇所に磁性体を混ぜたインクで形成された磁性マーク１５ａ，１５ｂ，１５ｃが設置されている。
必要に応じて磁性体を磁化させる外部磁場を与えたのち、磁場分布を測定すると、図３及び図４に示すように磁性マーク付近では磁性体から発生する所定の方向及び強度の磁場を測定でき、時間経過後に測定する際の本装置２と試料１とのずれを気にせず、磁場分布結果から位置補正することが可能となる。
【００２８】
試料１から発生される磁場分布は図１に示すものではＹ方向に電流が流れ、異常箇所１４付近に微弱な磁場が発生する。初期状態で異常箇所が存在しない場合はＹ方向電流に起因とする、Ｘ・Ｚ成分を有する磁場分布となる（図３参照）。
時間経過後の測定にて異常箇所１４から微弱な磁場が発生した場合でも、そのほとんどは初期状態磁場分布に近い分布となり、異常箇所１４の特定が難しい（図４参照）。
ただし、時間経過後の磁場分布から初期状態の磁場分布を引く処理（差分）を行うと、異常状態付近のＸ・Ｙ成分を有する、異常箇所１４を周回する渦上の異常磁場成分を明らかにすることができ、異常箇所１４はその周回のほぼ中心であることがわかる（図５参照）。
【００２９】
非破壊検査装置２に対し、測定対象の試料１が多量に存在する場合、初期の測定時及び時間経過後に多数の試料１を順番に測定することになるが、２次元センサーアレイ２２との相対的な位置関係はおおよそでよく、磁性マーク１５ａ，１５ｂ，１５ｃを用いて精度よく正確に差分処理ができ、個別の時間経過による異常部分発生を検出できる。
すなわち、一の試料１について一の測定と時間経過した後の他の測定とを行う際、一の測定において磁性マーク１５ａ，１５ｂ，１５ｃから発生する磁場を含む一の試料１の磁場分布（図３）を測定し、他の測定においても磁性マーク１５ａ，１５ｂ，１５ｃから発生する磁場を含む一の試料１の磁場分布（図４）を測定する。
一の測定により取得した一の試料１の磁場分布（図３）の座標と、他の測定により取得した一の試料１の磁場分布（図４）の座標とを、磁性マーク１５ａ，１５ｂ，１５ｃの磁場検出座標を一致させることにより対応させる。
その上で、基準の磁場分布（図３）と、他の測定により取得した一の試料１の磁場分布（図４）との差分（図５）をとり、他の測定時における一の試料１の異常箇所の位置を特定する。
【００３０】
これを実行するため非破壊検査装置２のＣＰＵ２４は、一の測定により取得した一の試料１の磁場分布（図３）から所定の方向及び強度を有する磁性マーク１５ａ，１５ｂ，１５ｃの発生磁場を検出し、一の測定により後の他の測定により取得した一の試料１の磁場分布（図４）から磁性マーク１５ａ，１５ｂ，１５ｃの発生磁場を検出する。さらにＣＰＵ２４は、一の測定により取得した一の試料１の磁場分布（図３）の座標と、他の測定により取得した一の試料の磁場分布（図４）の座標とを、磁性マーク１５ａ，１５ｂ，１５ｃの磁場検出座標を一致させることにより対応させる。
その上でＣＰＵ２４は、基準の磁場分布（図３）と、他の測定により取得した一の試料１の磁場分布（図４）との差分（図５）をとり、閾値処理等の検出処理を行って他の測定時における一の試料の異常箇所の位置を特定する。
【００３１】
正常状態は理想的にはそれぞれの初期状態を測定しておき、個体識別情報に対応させてＲＡＭ２６に保存しておいて試料ごとに呼び出すことで対応が可能である。すなわち、一の測定を一の試料１の使用前の初期に行い、一の測定により取得した一の試料１の磁場分布を基準の磁場分布とする。したがって、ＣＰＵ２４は、試料１から個体識別情報をＩＤ読取部２０を介して都度取得しつつ、一の測定により取得した一の試料１の磁場分布を基準の磁場分布としてＲＡＭ２６に保存し、他の測定時に利用する。
【００３２】
これに拘わらず、同一ロット製品の複数の試料を測定する場合は初期状態の平均値を代表値とすることで、全ての初期状態の個別のデータからの差分を行わず、統一平均初期状態からの差分で処理することも可能であり、大幅な時間短縮につながる。
すなわち、ＣＰＵ２４は、個体識別情報を都度取得しつつ、複数の基準試料について一の測定を行って取得した磁場分布の平均をとり、これを基準の磁場分布としてＲＡＭ２６に保存する。
さらにＣＰＵ２４は、個体識別情報を都度取得しつつ、複数の基準試料及び他の試料の各々について他の測定を行い、その際、ＲＡＭ２６メモリから読みだした基準の磁場分布と、他の測定により取得した磁場分布との差分をとり、閾値処理等の検出処理を行って他の測定時における異常箇所の位置を特定する。
なお、測定対象の全試料について磁性マーク１５ａ，１５ｂ，１５ｃの位置を統一し、その位置精度を磁場分布の測定精度より高いレベルに収める。上記平均値や差分をとる際の位置精度を確保するためである。
【００３３】
時間経過後の他の測定時の磁場分布は時間経過後の異常箇所（リーク）１４による変化以外に継時劣化による電流の全体的な低下の効果も含まれる。その場合はリークがなくても典型的な電流変化値として既にＲＯＭ２５にテーブルを持つことが可能で、初期状態との磁場分布の差分を取る際に、全体の信号の低下をキャンセルして差分を取ることが可能である。
すなわち、ＣＰＵ２４は、他の測定により取得した磁場分布との差分をとる基準の磁場分布を、他の測定時までの経時変化後の推定値とする。その際、ＣＰＵ２４は、ＲＯＭ２５に保存しておいた正常時（一の測定時）からの時間経過と磁場変化（推定値）との対応テーブルを参照し、他の測定時までの経過時間を入力することで推定値を算出する。
【００３４】
また、差分データの変化分が小さい場合はさらに空間的な差分処理を行うことで変化をより強調することも可能である。すなわち、ＣＰＵ２４は、一の測定と他の測定とで差分をとった時間差分分布をさらに磁場分布空間内（ＸＹ平面）で空間差分をとる。正常な電流に起因する空間差分は小さいので、異常箇所１４に起因する空間差分の値がより顕在化する。
【００３５】
本実施形態は主に異常箇所（リーク）１４の検出を目的としており、図１に示す試料１の構成では特定のＸＹ座標位置にてＺ方向に電流が少し流れる現象が異常箇所１４に起因する現象となるため、Ｘ・Ｙ成分の変化として異常箇所１４に起因する磁場分布変化は現れやすい。そのため、２次元磁場分布測定はＸ成分またはＹ成分、もしくはＸ・Ｙ両成分を取得すればよい。すなわち、非破壊検査装置２が、試料１の測定対象面（ＸＹ平面）に平行な方向の成分（Ｘ成分又は／及びＹ成分）を検出する磁気センサー２１を備え、Ｘ成分またはＹ成分、もしくはＸ・Ｙ両成分の２次元磁場分布を測定する形態を実施する。
【００３６】
なお、磁性マーク１５ａ，１５ｂ，１５ｃが、後の検査装置（例えばＸ線装置、カメラ、断面測定など）での２次元分布取得時のマークを兼ねてもよい。
【００３７】
（まとめ）
以上説明したように、複数の試料の時間経過状態を１つの磁場分布測定装置（非破壊検査装置）で測定する場合、測定データの空間的位置ずれが懸念されるが、試料に磁性マークを形成しておくと、測定装置との相対位置を気にせず測定後に磁性マークに起因する磁場信号を元にＸＹ空間磁気分布を補正することができるから、測定時間を短縮でき、位置精度も向上させることができる。
磁性マークを磁性体を含む材料、たとえば鉄が含まれたインクで形成し、測定前に磁化させておけば時間経過のある複数回の磁気測定時に位置合わせ情報として利用できる。
図５に示したように正常状態の磁場分布と時間経過後の磁場分布とを、磁性マークで座標を対応させた上で差分をとることで精度よく異常箇所を特定することができる。図３における座標と図４における座標とを試料１の位置が一致するように対応させて差分を取ったから、図３及び図４の双方で測定された磁性マーク１５ａ，１５ｂ，１５ｃに起因する磁場は、図５では相殺されて消失している。
上述したように正常状態は同一試料の初期状態としても、時間経過後の同試料の磁場変化を測定できる。
また正常状態は正常な試料の複数個を測定し、その平均のデータとすれば試料ごとの初期状態を測定することは不要となる。
正常状態の磁場分布（基準の磁場分布）の時間経過に伴う磁場強度の低下をデータテーブルで持っておき、試料の全体的な磁場強度の低下を推定し差分を取ることで異常箇所に起因する磁場変化を正しく評価できる。 
正常状態との差分を取ったのち、空間差分を取得することで異常箇所をさらに顕在化させることができる。
異常箇所は、そのリーク電流に起因して面内垂直方向の電流を発生させるため、取得する磁場成分は試料の測定対象面に平行な成分がよい。
【産業上の利用可能性】
【００３８】
本発明は、リチウムイオン電池等の非破壊検査方法及び非破壊検査装置に利用することができる。
【符号の説明】
【００３９】
１ 試料
２ 非破壊検査装置
１１ ＋極
１２ −極
１３ 主電流が流れる方向
１４ 異常箇所
１５ａ，１５ｂ，１５ｃ 磁性マーク
２１ 磁気センサー
２２ ２次元センサーアレイ
【図１Ａ】
2019045027.tif 000003
【図１Ｂ】
2019045027.tif 000004
【図２】
2019045027.tif 000005
【図３Ａ】
2019045027.tif 000006
【図３Ｂ】
2019045027.tif 000007
【図４Ａ】
2019045027.tif 000008
【図４Ｂ】
2019045027.tif 000009
【図５Ａ】
2019045027.tif 000010
【図５Ｂ】
2019045027.tif 000011
【国際調査報告】
2019045027.tif 000012
2019045027.tif 000013
2019045027.tif 000014
2019045027.tif 000015